【手続補正書】
【提出日】平成21年4月30日(2009.4.30)
【手続補正１】
【補正対象書類名】特許請求の範囲
【補正対象項目名】全文
【補正方法】変更
【補正の内容】
【特許請求の範囲】
【請求項１】
（ａ）第２のスイッチ／サーバにおいて、仮想通信デバイスおよび第２の電子アドレスを提供するステップと、
（ｂ）その後、前記第２のスイッチ／サーバにおいて、第１のスイッチ／サーバによって制御される第１のサブスクライバの第１の通信デバイスに関連付けられたビジタ・アプリケーション・レコードを作成するステップと、
（ｃ）ステップ（ｂ）に応答して、前記仮想通信デバイスを前記ビジタ・アプリケーション・レコードに関連付け、前記第２の電子アドレスは、前記第１の通信デバイスに関連付けられた第１の電子アドレスとは異なるステップとを含む方法。
【請求項２】
前記第１のサブスクライバが、前記移動性ユーザ・ステーション・レコードに関連付けられている間、前記第１のサブスクライバへの着信コールは、前記第１のスイッチ／サーバによって前記第２のスイッチ／サーバに向かわされ、前記第２のスイッチ／サーバによって前記第１の通信デバイスに向かわされ、前記第１の通信デバイスを使用して開始された前記第１のサブスクライバからの発信ボタン発信コールは、前記第１のスイッチ／サーバによって、着呼側宛先を有してセットアップされた前記第２のスイッチ／サーバに向かわされ、ステップ（ｃ）は、選択された刺激が検出されると、実行され、前記選択された刺激が、もはや検出されなくなった後の時点で、中止され、前記選択された刺激は、前記第１のスイッチ／サーバが、発信コールを開始できないことと関係し、前記第２のスイッチ／サーバにおいて、移動性ユーザ・ステーション・レコードが、前記仮想通信デバイスに対応する請求項１に記載の方法であって、
（ｄ）前記第１のサブスクライバが、前記移動性ユーザ・ステーション・レコードに関連付けられている間、前記第１のスイッチ／サーバは、前記第１の通信デバイスに関するホーム通信デバイス・レコードを保持し、前記ホーム通信デバイス・レコードは、前記第１のサブスクライバのために前記第１の通信デバイスを構成するステップと、
（ｅ）前記第１のサブスクライバが、前記移動性ユーザ・ステーション・レコードに関連付けられている間、前記第１のスイッチ／サーバは、ホーム・アプリケーション・レコードを保持して、前記第１の通信デバイスに対する着信コールを前記第２のスイッチ／サーバにリダイレクトするステップと、
（ｆ）前記移動性ユーザ・ステーション・レコードを前記第１の通信デバイスから後に切り離すステップと、
（ｇ）その後、前記移動性ユーザ・ステーション・レコードを、前記第１のスイッチ／サーバによって制御される第２の通信デバイスに関連付け、前記第１の通信デバイスと前記第２の通信デバイスは、異なるステップとをさらに含む方法。
【請求項３】
前記第１の通信デバイスは、パケット交換型である請求項１に記載の方法であって、
ステップ（ｃ）より前に、
（ｄ）前記第１のスイッチ／サーバが、登録解除メッセージを前記第１の通信デバイスに送信し、前記登録解除メッセージは、前記第１のスイッチ／サーバに対する前記第１の通信デバイスの登録を終了するステップと、
（ｅ）ステップ（ｄ）に応答して、前記第２のスイッチ／サーバが、前記第１の通信デバイスから、前記第２のスイッチ／サーバに対する前記第１の通信デバイスの登録を要求する登録メッセージを受信するステップとをさらに含み、ステップ（ｃ）は、前記第１の通信デバイスが、前記第２のスイッチ／サーバに登録することに成功した場合に実行され、前記登録メッセージは、前記第１のサブスクライバの前記第１の電子アドレス、および認証情報を含む方法。
【請求項４】
前記第１の通信デバイスは、回線交換型であり、ステップ（ｃ）は、選択された刺激が検出されると、実行され、前記選択された刺激は、前記第１の通信デバイスが、前記第１のスイッチ／サーバから物理的に切断され、前記第２のスイッチ／サーバに物理的に接続されることと関係する請求項１に記載の方法であって、
ステップ（ｃ）より前に、
（ｄ）前記第１のスイッチ／サーバが、前記第２のスイッチ／サーバにリンク作成メッセージを送信し、前記リンク作成メッセージは、前記第１の通信デバイスと前記第２のスイッチ／サーバとの間の専用リンクの作成を要求するステップと、
（ｅ）前記専用リンクを作成するステップとをさらに含む方法。
【請求項５】
前記第１のサブスクライバが、前記移動性ユーザ・ステーション・レコードに関連付けられている間、以下のフィーチャ、すなわち、前記第１のサブスクライバに対する着信コールを前記第１の通信デバイスにブリッジすること、コール・カバレッジ、スピード・ダイヤル呼び出し、呼出音パターン、カスタマイズされたボタン・ラベル、短縮ダイヤル・リスト、自動コールバック、自動メッセージ待ち、自動インタコム、別の内線番号またはトランクに関する話中指示、コール・アピアランス、コール転送、コール・フォワード（話中／応答しない）、ダイヤル・インタコム、セルラーへの内線、排除、パーソナル電話局線、すべてのコールを送信する、内部内線グループ、優先呼び出し、および案内係呼び出しの少なくともほとんどが、前記第１のサブスクライバに利用可能であり、前記第１の通信デバイスが、前記移動性ユーザ・ステーション・レコードに関連付けられている間の、前記第１の通信デバイスからの発信コールに関して、前記第１の通信デバイスの番号が、発呼側情報として送信され、一般的な緊急番号への発信コールが、前記第１の通信デバイスから行われると、前記第１のサブスクライバが、前記移動性ユーザ・ステーション・レコードから自動的に切り離される請求項１に記載の方法。
【請求項６】
（ａ）第２の電子アドレスに関連付けられた仮想通信デバイスに関連する移動性ユーザ・ステーション・レコードを提供し、
（ｂ）第１の通信デバイスに関連付けられたビジタ・アプリケーション・レコードを作成し、第１のサブスクライバが、通常、第１の通信デバイスに関連付けられ、第１の電子アドレスが、前記第１の通信デバイスに関連付けられ、
（ｃ）前記移動性ユーザ・ステーション・レコードを前記第１の通信デバイスに関連付け、前記第１の電子アドレスと前記第２の電子アドレスは、異なるように動作可能な、第２のスイッチ／サーバに関連付けられた移動性エージェントを含む企業ネットワーク。
【請求項７】
前記第１の通信デバイスが、前記第１のスイッチ／サーバによって制御され、前記第１のスイッチ／サーバは、
前記第１のサブスクライバが、前記移動性ユーザ・ステーション・レコードに関連付けられている間、前記第１の通信デバイスに関するホーム通信デバイス・レコードを保持し、前記ホーム通信デバイス・レコードは、前記第１のサブスクライバのために前記第１の通信デバイスを構成し、
前記第１のサブスクライバが、前記移動性ユーザ・ステーション・レコードに関連付けられている間、前記第１の通信デバイスに対する着信コールを前記第２のスイッチ／サーバにリダイレクトするようにホーム・アプリケーション・レコードを保持するようにさらに動作可能である請求項６に記載の企業ネットワークであって、
前記第１のスイッチ／サーバが発信コールを行う能力の限界を検出するように動作可能な負荷分散モジュールをさらに含み、動作（ｃ）は、前記限界の検出に応答して実行され、前記限界は、前記第１のスイッチ／サーバの利用可能な処理リソースと利用可能でない処理リソースの少なくとも１つと関係する企業ネットワーク。
【請求項８】
前記第１の通信デバイスは、パケット交換デバイスである請求項７に記載の企業ネットワークであって、
動作（ｃ）より前に、
（ｄ）前記第１のスイッチ／サーバが、登録解除メッセージを前記第１の通信デバイスに送信し、前記登録解除メッセージは、前記第１のスイッチ／サーバに対する前記第１の通信デバイスの登録を終了する動作と、
（ｅ）動作（ｄ）に応答して、前記第２のスイッチ／サーバが、前記第１の通信デバイスから、前記第２のスイッチ／サーバに対する前記第１の通信デバイスの登録を要求する登録メッセージを受信する動作とをさらに含み、動作（ｃ）は、前記第１の通信デバイスが、前記第２のスイッチ／サーバに登録することに成功した場合に実行され、前記登録メッセージは、前記第１のサブスクライバの前記第１の電子アドレス、および認証情報を含み、前記第１の通信デバイスは、前記第１のスイッチ／サーバによって制御され、前記移動性ユーザ・ステーション・レコードは、前記第２のスイッチ／サーバによって制御され、前記第１のサブスクライバが、前記移動性ユーザ・ステーション・レコードに関連付けられている間、前記第１のサブスクライバへの着信コールは、前記第１のスイッチ／サーバによって前記第２のスイッチ／サーバに向かわされ、前記第２のスイッチ／サーバによって前記第１の通信デバイスに向かわされ、前記第１の通信デバイスを使用して開始された前記第１のサブスクライバからの発信ボタン発信コールは、前記第１のスイッチ／サーバによって、着呼側宛先を有してセットアップされた前記第２のスイッチ／サーバに向かわされ、前記ビジタ・アプリケーション・レコードは、少なくとも以下の情報、すなわち、前記第１のサブスクライバの名前、前記第２の電子アドレス、前記第１のサブスクライバのホーム・セキュリティ情報、前記第１の通信デバイス・タイプ、コール状態情報、および前記第１の通信デバイス上の複数のボタンのセットと同一の複数のボタンのセットを有するボタン・レコードを含み、前記移動性ユーザ・ステーション・レコード、少なくとも前記第１の電子アドレスを含む、企業ネットワーク。
【請求項９】
（ｄ）前記移動性ユーザ・ステーション・レコードを前記第１の通信デバイスから切り離す動作と、
（ｅ）その後、前記移動性ユーザ・ステーション・レコードを、前記第１のスイッチ／サーバによって制御される第２の通信デバイスに関連付け、前記第１の通信デバイスと前記第２の通信デバイスは、異なる動作とをさらに含む請求項６に記載の企業ネットワーク。
【請求項１０】
前記第１の通信デバイスは、回線交換型であり、動作（ｃ）は、選択された刺激が検出されると、実行され、前記選択された刺激は、前記第１の通信デバイスが、前記第１のスイッチ／サーバから物理的に切断され、前記第２のスイッチ／サーバに物理的に接続されることと関係する請求項６に記載の企業ネットワークであって、
動作（ｃ）より前に、
（ｄ）前記第１のスイッチ／サーバが、前記第２のスイッチ／サーバにリンク作成メッセージを送信し、前記リンク作成メッセージは、前記第１の通信デバイスと前記第２のスイッチ／サーバとの間の専用リンクの作成を要求する動作と、
（ｅ）前記専用リンクを作成する動作とをさらに含む企業ネットワーク。